(57)【特許請求の範囲】
【請求項１】
ソレノイドの励磁によってプランジャを前後方向に出没移動させ、該プランジャの先端側を発射位置に待機させたパチンコ球に衝突させて、遊技盤面上に球を打ち出す球発射装置において、
前記遊技盤面の裏側に取付けられ、ソレノイド本体をプランジャの移動方向とほぼ平行に移動可能に内装するケース部材と、
前記ケース部材内の前端側とソレノイド本体の前端側との間に設けられ、前記プランジャの前方への突出移動に伴って、前記ケース部材内を前方に移動するソレノイド本体の衝撃力を吸収する前部緩衝部材と、
前記ケース部材内の後端側とソレノイド本体の後端側との間に設けられ、前記プランジャの後方への没入移動に伴って、前記ケース部材内を後方に移動するソレノイド本体の衝撃力を吸収する後部緩衝部材と、
を有することを特徴とする球発射装置。
【請求項２】
前記プランジャの後端側に設けられ、該プランジャが前方へ突出移動した際に、ソレノイド本体の後端側に弾撥的に衝突する弾性ストッパーと、
前記ソレノイド本体の後端側とプランジャの後端側との間に設けられ、突出移動して球を打ち出したプランジャを元の位置へ没入移動させる復帰用付勢部材と、
を有することを特徴とする請求項１記載の球発射装置。
【請求項３】
前記ケース部材の内壁と、該内壁に摺接する前記ソレノイド本体の外壁との少なくとも一方に、摩擦力を減じさせる滑りシート材を設けたことを特徴とする請求項１または２記載の球発射装置。
【発明の詳細な説明】
【０００１】
【産業上の利用分野】
本発明は、パチンコ球を遊技媒体とするパチンコ機などの遊技機に装備され、ソレノイドの励磁によってプランジャを出没移動させ、該プランジャの先端側を発射位置に待機させたパチンコ球に衝突させて、遊技盤面上に球を打ち出す球発射装置に関する。
【０００２】
【従来の技術】
従来のパチンコ機において、ソレノイドを使用して球を打ち出す方式の球発射装置は、一般にはソレノイド本体を遊技盤面の裏側の所定位置に直接固設したり、或はソレノイド本体と遊技盤面の裏側との間にゴムなどの緩衝マウントを介在させて、遊技盤面の裏側の所定位置に固定したりしていた。
【０００３】
だが周知のように、前記方式の球発射装置では、ソレノイド本体を直接固設した場合、ソレノイド本体より出没するプランジャが移動する際の振動や、該プランジャの移動に伴ってソレノイド本体に伝わる衝撃力が緩和されることなく、そのまま遊技客の操作するハンドルに伝わってしまい、不快感を与えていた。また、ソレノイド本体を緩衝マウントを介在させて固定した場合、プランジャの移動に起因する振動や衝撃を適度に吸収できるが、該緩衝マウントの弾性変形によりソレノイド本体自体がグラつくように振動してしまい、安定した球の打ち出しが困難であった。
【０００４】
かかる問題を解決するために、例えば、特開昭６２−２９２１８４号や、特開平２−８００７３号において、衝撃力緩和及び振動防止構造を備えた球発射装置が提案されている。これらの球発射装置は、遊技盤面の裏側にガイドピンを打球の発射方向に対しほぼ平行に固定し、該ガイドピンをガイド孔内に挿通してガイドピンに沿い移動可能に設けた取付台に、ソレノイド本体を取付けると共に、取付台の前後に緩衝部材を当接させて構成されている。
【０００５】
【発明が解決しようとする課題】
しかしながら、前述した衝撃力緩和及び振動防止構造を備えた球発射装置では、ガイドピンを別途ブラケットを介して遊技盤面の裏側に固定したり、ソレノイド本体を取付台に取付けたり、更には取付台に前記ガイドピンに挿通するガイド孔を形成し、取付台をガイドピンにより移動可能に支持させたりと、装置全体の組み付け工数が多く、また、部品点数も多いため、コストアップの要因となるという問題点があった。かかる問題点に鑑みて、ソレノイドを用いた球発射装置において、衝撃力緩和及び振動防止構造を如何に低コストで実現するかが、当業者間において重要な課題となっていた。
【０００６】
本発明は、このような従来技術が有する問題点に着目してなされたもので、簡易かつ容易な構成によって、ソレノイドのプランジャの移動に起因する振動を防止できると共に、衝撃を適度に緩和することができ、コストを大幅に低減することができる球発射装置を提供することを目的としている。
【０００７】
【課題を解決するための手段】
かかる目的を達成するための本発明の要旨とするところは、次の各項に存する。
【０００８】
１  ソレノイド（１１）の励磁によってプランジャ（１３）を前後方向に出没移動させ、該プランジャ（１３）の先端側を発射位置に待機させたパチンコ球に衝突させて、遊技盤面（２ａ）上に球を打ち出す球発射装置（１０）において、
前記遊技盤面（２ａ）の裏側に取付けられ、ソレノイド本体（１１ａ）をプランジャ（１３）の移動方向とほぼ平行に移動可能に内装するケース部材（２０）と、
前記ケース部材（２０）内の前端側（２４）とソレノイド本体（１１ａ）の前端側との間に設けられ、前記プランジャ（１３）の前方への突出移動に伴って、前記ケース部材（２０）内を前方に移動するソレノイド本体（１１ａ）の衝撃力を吸収する前部緩衝部材（３１）と、
前記ケース部材（２０）内の後端側（２７）とソレノイド本体（１１ａ）の後端側との間に設けられ、前記プランジャ（１３）の後方への没入移動に伴って、前記ケース部材（２０）内を後方に移動するソレノイド本体（１１ａ）の衝撃力を吸収する後部緩衝部材（３２）と、
を有することを特徴とする球発射装置（１０）。
【０００９】
２  前記プランジャ（１３）の後端側に設けられ、該プランジャ（１３）が前方へ突出移動した際に、ソレノイド本体（１１ａ）の後端側に弾撥的に衝突する弾性ストッパー（１７）と、
前記ソレノイド本体（１１ａ）の後端側とプランジャ（１３）の後端側との間に設けられ、突出移動して球を打ち出したプランジャ（１３）を元の位置へ没入移動させる復帰用付勢部材（３０）と、
を有することを特徴とする１項記載の球発射装置（１０）。
【００１０】
３  前記ケース部材（２０）の内壁と、該内壁に摺接する前記ソレノイド本体（１１ａ）の外壁との少なくとも一方に、摩擦力を減じさせる滑りシート材（４０）を設けたことを特徴とする１項または２項記載の球発射装置（１０）。
【００１１】
【作用】
球を打ち出す際にソレノイド（１１）の励磁により、プランジャ（１３）が前方へ突出移動するとそれに伴って、例えば、プランジャ（１３）の後端側に設けた弾性ストッパー（１７）が、ソレノイド本体（１１ａ）の後端側に弾撥的に衝突するなどして、ソレノイド本体（１１ａ）に衝撃が加わる。
【００１２】
かかる衝撃を受けることで、ソレノイド本体（１１ａ）が振動しようとしても、該ソレノイド本体（１１ａ）は、遊技盤面（２ａ）の裏側に取付けられたケース部材（２０）内にて移動が規制される。すなわち、ソレノイド本体（１１ａ）はケース部材（２０）内にて前記プランジャ（１３）の移動方向とほぼ平行に前方移動するだけであり、従って、プランジャ（１３）の移動方向と異なる方向への振動は抑えられる。
【００１３】
また、前記ケース部材（２０）内を前方に移動するソレノイド本体（１１ａ）の衝撃力は、ケース部材（２０）内の前端側（２４）とソレノイド本体（１１ａ）の前端側との間に設けた前部緩衝部材（３１）により吸収される。一方、球を打ち出したプランジャ（１３）は、例えば、復帰用付勢部材（３０）の付勢力により元の位置へ没入移動し、それに伴い前記ケース部材（２０）内を後方に移動するソレノイド本体（１１ａ）の衝撃力は、ケース部材（２０）内の後端側（２７）とソレノイド本体（１１ａ）の後端側との間に設けた後部緩衝部材（３２）により吸収される。従って、遊技客の操作するハンドルなどに不快に衝撃が伝わることはない。
【００１４】
以上のように、遊技盤面（２ａ）の裏側に取付けるケース部材（２０）内に、ソレノイド本体（１１ａ）をプランジャ（１３）の移動方向とほぼ平行に移動可能に内装するという簡易かつ容易な構成によって、ソレノイド（１１）のプランジャ（１３）の移動に起因するソレノイド本体（１１ａ）の振動を防止でき、また、前部緩衝部材（３１）や後部緩衝部材（３２）によって、ソレノイド本体（１１ａ）が前後移動する際の衝撃を適度に緩和することができる。
【００１５】
更に、前記ケース部材（２０）の内壁と、該内壁に摺接する前記ソレノイド本体（１１ａ）の外壁との少なくとも一方に、摩擦力を減じさせる滑りシート材（４０）を設けた場合には、前記ケース部材（２０）内においてソレノイド本体（１１ａ）を円滑に前後移動させることができ、摩擦により生じ得る振動や衝撃をより確実に抑制することができる。
【００１６】
【実施例】
以下、図面に基づき本発明の一実施例を説明する。
図１〜図５は本発明の一実施例を示している。
図５に示すように、本実施例に係る球発射装置１０は、パチンコ機１の遊技盤面２ａが形成された基枠２の裏側に配設され、上皿３に連通した球経路４を通って発射レール５の基端側に送られるパチンコ球を、遊技客のハンドル６の操作に応じて遊技盤面２ａの表面上に順次打ち出す装置である。かかる球発射装置１０は、図１に示すように、ソレノイド１１の励磁によってプランジャ１３を前後方向に出没移動させ、該プランジャ１３の先端側を発射位置に待機させたパチンコ球に衝突させるように構成されており、ソレノイド１１と、ケース部材２０と、前部緩衝部材３１と、後部緩衝部材３２などを具備して成る。
【００１７】
ソレノイド１１は、ソレノイド本体１１ａの内部の筒状コイル体にプランジャ１３を貫通させて、前記筒状コイル体に通電し励磁させることで、プランジャ１３が前方（図１中で左方向）に突出移動するように構成されている。プランジャ１３の前端には、球に直接衝突させる打出部材１５が取付けられており、その後側には、プランジャ１３が後方へ没入移動した際に、ソレノイド本体１１ａの前端側に弾撥的に衝突する弾性ストッパー１４が設けられている。一方、プランジャ１３の後端には、プランジャ１３が筒状コイル体から抜け出るのを防止するストッパー１６が設けられている。
【００１８】
ストッパー１６の前側には、プランジャ１３が前方へ突出移動した際に、ソレノイド本体１１ａの後端側に弾撥的に衝突する弾性ストッパー１７がプランジャ１３の後端側に外嵌するように設けられている。弾性ストッパー１４，１７はゴムや軟質樹脂などにより成形したものであるが、バネ材を用いてもよい。また、前記ストッパー１６とソレノイド本体１１ａの後端面との間には、突出移動したプランジャ１３を元の位置へ戻すよう没入移動させる復帰用付勢部材３０がプランジャ１３の後端側に巻き付くように設けられている。復帰用付勢部材３０はコイルスプリングから成るが、ゴムや軟質樹脂などにより成形してもよい。
【００１９】
ケース部材２０は、前記ソレノイド本体１１ａをプランジャ１３の移動方向とほぼ平行に移動可能に内装する箱状の枠体である。更に詳しく言えば、ケース部材２０は、ソレノイド本体１１ａの外壁を殆ど隙間なく覆う両側の側面部２１，２１と上面部２２と底面部２３を有し、ケース部材２０の内部空間の断面積は、ソレノイド本体１１ａの断面積より僅かに大きくなるよう形成されている。また、ケース部材２０の内部空間の長さは、ソレノイド本体１１ａの全長より長く形成されている。
【００２０】
また、ケース部材２０の前端には前面部２４が形成されており、かかる前面部２４には、前記プランジャ１３の前端側や打出部材１５が挿通する出没孔２５が穿設されている。一方、ケース部材２０の後端には開口部２６が形成されており、その両側の側面部２１，２１の内壁には、ソレノイド本体１１ａの後端が係合する段部２７，２７が凸設されている。なお、ケース部材２０は、２つのケース半体を合わせて構成されるものであり、かかるケース半体を合せる際に、その内部空間にソレノイド１１を内装するようにして組立てられる。
【００２１】
このようなケース部材２０の構成により、その内部空間に内装されたソレノイド本体１１ａは、上下方向や両側方向にはガタつくことなく、ケース部材２０内を前後方向、すなわちプランジャ１３の移動方向と平行に移動するようになっている。また、ケース部材２０の底面部２３の内壁と、該内壁に摺接するソレノイド本体１１ａの下側外壁との双方には、僅かな隙間を埋めると共に摩擦力を減じさせる滑りシート材４０，４０が接着されている。
【００２２】
滑りシート材４０は、エンジニアリングプラスチックの代表種であるポリアセタールを薄板状に成形したものであり、ポリアセタールの潤滑性や耐久性などの特性を活かして、前記ケース部材２０内におけるソレノイド本体１１ａの前後移動を円滑化するための部材である。なお、滑りシート材４０の材質はポリアセタールのみに限定されるものではなく、潤滑性や耐久性などを有する他の樹脂により成形してもよい。また、滑りシート材４０を、ケース部材２０の内壁とソレノイド本体１１ａの外壁との双方に必ずしも設ける必要はなく、少なくとも一方に設けてもかまわない。
【００２３】
ケース部材２０の前面部２４の内壁とソレノイド本体１１ａの前端面との間には、前部緩衝部材３１がプランジャ１３の前端側に巻き付くように設けられている。前部緩衝部材３１は、前記プランジャ１３の前方への突出移動に伴ってケース部材２０内を前方移動するソレノイド本体１１ａの衝撃力を吸収・緩和するものである。なお、本実施例では前部緩衝部材３１はコイルスプリングから成るが、ゴムや軟質樹脂などにより成形してもよい。
【００２４】
ケース部材２０内の後端縁とソレノイド本体１１ａの後端面との間に位置する段部２７，２７の前端面には、後部緩衝部材３２，３２が設けられている。後部緩衝部材３２は、前記プランジャ１３の後方への没入移動に伴ってケース部材２０内を後方に移動するソレノイド本体１１ａの衝撃力を吸収・緩和するものである。なお、本実施例では後部緩衝部材３２はゴムや軟質樹脂などにより成形したものであるが、バネ材などを用いてもよい。
【００２５】
図４に示すように、球発射装置１０のケース部材２０は、その内部にあるソレノイド１１のプランジャ１３が突出した際にちょうど発射レール５の発射位置を臨むように基枠２の裏側に取付けられている。また、球発射装置１０の傍らには、プランジャ１３の出没移動に連動して、上皿３（図５参照）から球経路４に供給される球を発射レール５の発射位置に送り出す球送出し装置６０が配設されている。
【００２６】
球送出し装置６０は、下端をプランジャ１３の後端にあるストッパー１６に当接させた状態にて、枢軸６１ａを介して揺動可能に基枠２に枢支された連動部材６１と、該連動部材６１の上端に一端が屈曲可能に連結されたリンク部材６２と、枢軸６３ａを介して回動可能に基枠２に枢支され、かつ前記リンク部材６２の他端に押引き可能に連結された係脱部材６３と、該係脱部材６３の回動に伴い１歯分ずつ回転するように配されたスプロケット６６とから構成されている。
【００２７】
スプロケット６６は、その外周の歯が球経路４の途中の開口部から球経路４内を臨む位置に枢支されている。係脱部材６３は、スプロケット６６の歯に対し交互に係合し該スプロケット６６の回転を規制する２つの爪部６４，６５を有している。このような球送出し装置６０は、プランジャ１３が１回出没移動する度に、球を発射レール５の球待機位置に１個ずつ送り出すものであり、詳しい動作については後述する。
【００２８】
次に球発射装置１０の作用について説明する。
図５に示すハンドル６の操作に基づき、図２においてソレノイド１１に通電するとソレノイド本体１１ａが励磁し、プランジャ１３が前方へ突出移動して打出部材１５が発射位置にある球Ｐに衝突し球Ｐが打ち出される。このようなプランジャ１３の突出移動に伴って、図３に示すようにプランジャ１３の後端側に設けた弾性ストッパー１７が、ソレノイド本体１１ａの後端面に弾撥的に衝突するため、ソレノイド本体１１ａに前方への衝撃が加わる。
【００２９】
かかる衝撃を受けることで、ソレノイド本体１１ａが振動しようとしても、該ソレノイド本体１１ａは、基枠２の裏側に取付けられたケース部材２０内にて移動が規制される。すなわち、ソレノイド本体１１ａの外周はケース部材２０の両側面部２１，２１や上面部２２、底面部２３により四方から囲まれているため、ソレノイド本体１１ａはケース部材２０内にて、プランジャ１３の突出方向と一致する前方への移動のみが可能である。従って、プランジャ１３の移動方向と異なる方向へのソレノイド本体１１ａの振動は抑えられる。
【００３０】
また、プランジャ１３の突出移動に伴ってケース部材２０内を前方移動するソレノイド本体１１ａの衝撃力は、ケース部材２０の前面部２４とソレノイド本体１１ａの前端面との間に設けた前部緩衝部材３１により吸収される。それにより、球Ｐの打ち出し時において、遊技客の操作するハンドル６などに不快に衝撃が伝わることはない。
【００３１】
一方、ソレノイド本体１１ａが失磁すると、プランジャ１３は復帰用付勢部材３０の付勢力により元の位置へ没入移動する。この時、図２に示すようにプランジャ１３の前端側に設けた弾性ストッパー１４が、ソレノイド本体１１ａの前端面に弾撥的に衝突するため、ソレノイド本体１１ａに後方への衝撃が加わる。かかる衝撃を受けても、前述したようにソレノイド本体１１ａはケース部材２０内にて移動が規制され、ソレノイド本体１１ａはケース部材２０内にてプランジャ１３の没入方向と一致する後方への移動のみが可能であるから、上下方向や両側方向への振動は抑えられる。
【００３２】
また、プランジャ１３の没入移動に伴ってケース部材２０内を後方へと移動するソレノイド本体１１ａの衝撃力は、ケース部材２０の両側面部２１，２１にある段部２７，２７に設けた後部緩衝部材３２，３２により吸収される。それにより、球の打ち出し終了時においても、遊技客の操作するハンドル６などに不快に衝撃が伝わることはない。
【００３３】
以上のように、基枠２の裏側に取付けるケース部材２０内に、ソレノイド本体１１ａをプランジャ１３の移動方向とほぼ平行に移動可能に内装するという簡易かつ容易な構成によって、プランジャ１３の出没移動に起因するソレノイド本体１１ａの振動を防止でき、また、前部緩衝部材３１や後部緩衝部材３２によって、ソレノイド本体１１ａが前後移動する際の衝撃を適度に緩和することができる。また、前記ケース部材２０の内壁と、ソレノイド本体１１ａの外壁とに設けた滑りシート材４０によって、ケース部材２０内においてソレノイド本体１１ａは円滑に前後移動でき、摩擦により生じ得る振動や衝撃をより確実に抑制することができる。
【００３４】
図４に基づき、球発射装置１０に連動する球送出し装置６０の動作について説明する。
先ず、図示したようにソレノイド１１のプランジャ１３が没入位置にある時、連動部材６１の下端がプランジャ１３の後端のストッパー１６により後方へ押出され、連動部材６１は枢軸６１ａを支点として揺動する。これに伴いリンク部材６２は前方へ押出され、係脱部材６３が枢軸６３ａを中心として反時計方向に回動する。それにより、係脱部材６３の一の爪部６４がスプロケット６６の一つの歯に係合するため、スプロケット６６は回転不能に拘束されて、球経路４内の球の流下を阻止する。
【００３５】
次に、ソレノイド１１が励磁してプランジャ１３が突出移動すると、連動部材６１がプランジャ１３の押し付けから解放されるため、バネ６７の付勢力によりリンク部材６２は後方へ移動し、係脱部材６３が枢軸６３ａを中心として時計方向に回動する。それにより、係脱部材６３の一の爪部６４がスプロケット６６の一つの歯から離脱すると同時に、他の爪部６５が次の歯に係合し、直ちにスプロケット６６の回転を止めて歯の間の凹部に保持した球の送り出しをここで一旦止めることになる。
【００３６】
続いて、プランジャ１３が球Ｐを打ち出した後に没入移動すると、再び連動部材６１の下端がプランジャ１３により後方へ押出され、それに伴い前方へ押出されるリンク部材６２によって、係脱部材６３が反時計方向に回動する。それにより、係脱部材６３の他の爪部６５がスプロケット６６の一つの歯から離脱し、一の爪部６５が再び次の歯に係合してスプロケット６６の回転を止めるが、この間に球経路４内にて保持されていた１個の球が発射レール５の待機位置まで送り出される。
【００３７】
なお、前記実施例に係る球発射装置の具体的な形状は、図示したものに限定されるものではない。
【００３８】
【発明の効果】
本発明に係る球発射装置によれば、遊技盤面の裏側に取付けるケース部材内に、ソレノイド本体をプランジャの移動方向とほぼ平行に移動可能に内装するという簡易かつ容易な構成によって、ソレノイドのプランジャの移動に起因するソレノイド本体の振動を防止することができ、また、前部緩衝部材や後部緩衝部材によって、ソレノイド本体が前後移動する際の衝撃を適度に緩和することができるため、結果として、装置全体の組み付け工数や部品点数を削減することが可能となり、コストをより低減することができる。
【図面の簡単な説明】
【図１】本発明の一実施例に係る球発射装置を構成するケース部材の上面部を切断して上方から視た断面図である。
【図２】本発明の一実施例に係る球発射装置を構成するケース部材の側面部を切断して側方から視た断面図である。
【図３】本発明の一実施例に係る球発射装置を構成するソレノイドのプランジャの動きを説明する断面図である。
【図４】本発明の一実施例に係る球発射装置を基枠に取付けた状態を示す正面図である。
【図５】本発明の一実施例に係る球発射装置を装備したパチンコ機を示す背面図である。
【符号の説明】
１０…球発射装置
１１…ソレノイド
１３…プランジャ
２０…ケース部材
３０…復帰用付勢部材
３１…前部緩衝部材
３２…後部緩衝部材
４０…滑りシート材
【図１】
0003705831.tif 000002
【図２】
0003705831.tif 000003
【図３】
0003705831.tif 000004
【図４】
0003705831.tif 000005
【図５】
0003705831.tif 000006